(57)【特許請求の範囲】
【請求項１】
体験提供者の身体の一部の複数の部位に取り付けられ、各部位がどのように動いたのかを示す情報データを時系列に採取するセンサー装置である体験動作入力装置と、
前記体験動作入力装置を起動し、当該体験動作入力装置から前記情報データを受信し、当該情報データを前記体験提供者の識別子と当該情報データに係る体験の名称とともに送信する第１の端末装置と、
前記情報データを利用するために必要な体験料を引き落とすことができるか決済情報に基づいて判定し、引き落とすことができると判定した場合には前記決済情報に基づいて前記体験料を引き落とす決済センター端末装置と、
前記第１の端末装置から送信された前記情報データと前記体験提供者の識別子と前記体験の名称とを受信し、当該情報データを第１の記憶装置に蓄積し、当該情報データの当該第１の記憶装置内の格納アドレスと当該体験提供者の識別子と当該体験の名称と前記体験料とを組にした体験情報を体験データ管理テーブルに登録し、当該体験情報の内、少なくとも前記体験の名称と前記体験料との一覧表をホームページに表示する販売センター端末装置と、
前記ホームページにおいて選択された体験の名称と前記決済情報とを前記販売センター端末装置に送信するとともに前記情報データの送信を当該販売センター端末装置に要求し、送信された当該情報データを受信する第２の端末装置と、
人体の一部の形状を呈し、前記第２の端末装置から送信された前記情報データを受信し、当該情報データに従って前記人体の一部の複数の部位の動きを再現する体験動作復元装置とを備え、
前記販売センター端末装置は、
前記第２の端末装置から前記体験の名称と前記決済情報とを受信し、当該決済情報を前記決済センター端末装置に送信して当該決済センター端末装置から当該決済情報に基づいて前記体験料を引き落とした旨の通知を受信した場合には、前記体験データ登録テーブルを参照して当該体験の名称に対応する前記情報データを前記第１の記憶装置から読み出して当該第２の端末装置へ送信するとともに、
前記第２の端末装置から前記体験の名称と連絡情報とを受信した際に、当該体験の名称が前記ホームページの前記一覧表に登録されていない場合には、当該体験の名称と連絡情報とを体験要求情報として前記ホームページに掲載し、前記ホームページの前記一覧表に当該体験要求情報に係る前記体験の名称が登録された場合には、当該体験要求情報に係る前記連絡情報に従って当該体験の名称が前記ホームページの前記一覧表に登録された旨を通知することを特徴とする疑似体験販売システム。
【請求項２】
機械の操縦桿または操縦輪がどのように動いたのかを示す情報データを時系列に採取するセンサー装置である体験動作入力装置と、
前記体験動作入力装置を起動し、当該体験動作入力装置から前記情報データを受信し、当該情報データを前記体験提供者の識別子と当該情報データに係る体験の名称とともに送信する第１の端末装置と、
前記情報データを利用するために必要な体験料を引き落とすことができるか決済情報に基づいて判定し、引き落とすことができると判定した場合には前記決済情報に基づいて前記体験料を引き落とす決済センター端末装置と、
前記第１の端末装置から送信された前記情報データと前記体験提供者の識別子と前記体験の名称とを受信し、当該情報データを第１の記憶装置に蓄積し、当該情報データの当該第１の記憶装置内の格納アドレスと当該体験提供者の識別子と当該体験の名称と前記体験料とを組にした体験情報を体験データ管理テーブルに登録し、当該体験情報の内、少なくとも前記体験の名称と前記体験料との一覧表をホームページに表示する販売センター端末装置と、
前記ホームページにおいて選択された体験の名称と前記決済情報とを前記販売センター端末装置に送信するとともに前記情報データの送信を当該販売センター端末装置に要求し、送信された当該情報データを受信する第２の端末装置と、
前記機械の操縦桿または操縦輪の形状を呈し、前記第２の端末装置から送信された前記情報データを受信し、当該情報データに従って前記機械の操縦桿または操縦輪の動きを再現する体験動作復元装置とを備え、
前記販売センター端末装置は、
前記第２の端末装置から前記体験の名称と前記決済情報とを受信し、当該決済情報を前記決済センター端末装置に送信して当該決済センター端末装置から当該決済情報に基づいて前記体験料を引き落とした旨の通知を受信した場合には、前記体験データ登録テーブルを参照して当該体験の名称に対応する前記情報データを前記第１の記憶装置から読み出して当該第２の端末装置へ送信するとともに、
前記第２の端末装置から前記体験の名称と連絡情報とを受信した際に、当該体験の名称が前記ホームページの前記一覧表に登録されていない場合には、当該体験の名称と連絡情報とを体験要求情報として前記ホームページに掲載し、前記ホームページの前記一覧表に当該体験要求情報に係る前記体験の名称が登録された場合には、当該体験要求情報に係る前記連絡情報に従って当該体験の名称が前記ホームページの前記一覧表に登録された旨を通知することを特徴とする疑似体験販売システム。
【請求項３】
前記情報データは、前記機械の操縦桿または操縦輪の回転角度の情報であることを特徴とする請求項２記載の疑似体験販売システム。
【請求項４】
第１の端末装置が、体験提供者の身体の一部の複数の部位に取り付けられ、各部位がどのように動いたのかを示す情報データを時系列に採取するセンサー装置である体験動作入力装置を起動し、当該体験動作入力装置から前記情報データを受信し、当該情報データを前記体験提供者の識別子と当該情報データに係る体験の名称とともに送信し、
販売センター端末装置が、前記第１の端末装置から送信された前記情報データと前記体験提供者の識別子と前記体験の名称とを受信し、当該情報データを第１の記憶装置に蓄積し、当該情報データの当該第１の記憶装置内の格納アドレスと当該体験提供者の識別子と当該体験の名称と前記体験料とを組にした体験情報を体験データ管理テーブルに登録し、当該体験情報の内、少なくとも前記体験の名称と前記体験料との一覧表をホームページに表示し、
第２の端末装置が、前記ホームページにおいて選択された体験の名称と決済情報とを前記販売センター端末装置に送信するとともに前記情報データの送信を当該販売センター端末装置に要求し、
前記販売センター端末装置が、前記第２の端末装置から前記体験の名称と前記決済情報とを受信し、当該決済情報を決済センター端末装置へ送信し、
前記決済センター端末装置が、前記販売センター端末装置から送信された前記決済情報を受信し、当該決済情報に基づいて前記情報データを利用するために必要な体験料を引き落とすことができるか判定し、引き落とすことができると判定した場合には当該決済情報に基づいて前記体験料を引き落とし、
前記販売センター端末装置が、前記決済センター端末装置から前記決済情報に基づいて前記体験料を引き落とした旨の通知を受信した場合には、前記体験データ登録テーブルを参照して当該体験の名称に対応する前記情報データを前記第１の記憶装置から読み出して前記第２の端末装置へ送信し、
前記第２の端末装置が、前記販売センター端末装置から送信された当該情報データを、人体の一部の形状を呈する体験動作復元装置に送信し、当該情報データに従って前記人体の一部の複数の部位の動きを再現させ、
前記販売センター端末装置が、前記第２の端末装置から前記体験の名称と連絡情報とを受信した際に、当該体験の名称が前記ホームページの前記一覧表に登録されていない場合には、当該体験の名称と連絡情報とを体験要求情報として前記ホームページに掲載するとともに、前記ホームページの前記一覧表に当該体験要求情報に係る前記体験の名称が登録された場合には、当該体験要求情報に係る前記連絡情報に従って当該体験の名称が前記ホームページの前記一覧表に登録された旨を通知することを特徴とする疑似体験販売方法。
【請求項５】
第１の端末装置が、機械の操縦桿または操縦輪がどのように動いたのかを示す情報データを時系列に採取するセンサー装置である体験動作入力装置を起動し、当該体験動作入力装置から前記情報データを受信し、当該情報データを前記体験提供者の識別子と当該情報データに係る体験の名称とともに送信し、
販売センター端末装置が、前記第１の端末装置から送信された前記情報データと前記体験提供者の識別子と前記体験の名称とを受信し、当該情報データを第１の記憶装置に蓄積し、当該情報データの当該第１の記憶装置内の格納アドレスと当該体験提供者の識別子と当該体験の名称と前記体験料とを組にした体験情報を体験データ管理テーブルに登録し、当該体験情報の内、少なくとも前記体験の名称と前記体験料との一覧表をホームページに表示し、
第２の端末装置が、前記ホームページにおいて選択された体験の名称と決済情報とを前記販売センター端末装置に送信するとともに前記情報データの送信を当該販売センター端末装置に要求し、
前記販売センター端末装置が、前記第２の端末装置から前記体験の名称と前記決済情報とを受信し、当該決済情報を決済センター端末装置へ送信し、
前記決済センター端末装置が、前記販売センター端末装置から送信された前記決済情報を受信し、当該決済情報に基づいて前記情報データを利用するために必要な体験料を引き落とすことができるか判定し、引き落とすことができると判定した場合には当該決済情報に基づいて前記体験料を引き落とし、
前記販売センター端末装置が、前記決済センター端末装置から前記決済情報に基づいて前記体験料を引き落とした旨の通知を受信した場合には、前記体験データ登録テーブルを参照して当該体験の名称に対応する前記情報データを前記第１の記憶装置から読み出して前記第２の端末装置へ送信し、
前記第２の端末装置が、前記販売センター端末装置から送信された当該情報データを、前記機械の操縦桿または操縦輪の形状を呈する体験動作復元装置に送信し、当該情報データに従って前記機械の操縦桿または操縦輪の動きを再現させ、
前記販売センター端末装置が、前記第２の端末装置から前記体験の名称と連絡情報とを受信した際に、当該体験の名称が前記ホームページの前記一覧表に登録されていない場合には、当該体験の名称と連絡情報とを体験要求情報として前記ホームページに掲載するとともに、前記ホームページの前記一覧表に当該体験要求情報に係る前記体験の名称が登録された場合には、当該体験要求情報に係る前記連絡情報に従って当該体験の名称が前記ホームページの前記一覧表に登録された旨を通知することを特徴とする疑似体験販売方法。
【請求項６】
前記情報データは、前記機械の操縦桿または操縦輪の回転角度の情報であることを特徴とする請求項５記載の疑似体験販売方法。
【発明の詳細な説明】
【０００１】
【発明の属する技術分野】
本発明は、芸能人やスポーツ選手等との握手や、書道やスポーツ等の特殊な技能の熟練者の動作を、擬似的に体験することができる疑似体験システムおよび当該疑似体験をインターネット等のネットワークを介して利用者に販売する疑似体験販売システムおよび疑似体験販売方法に関する。
【０００２】
【従来の技術】
特開平４−１９２０６７号公報には、ゴーグル型ディスプレイを通して商品を撮影したテレビカメラの映像を利用者に見せるとともに、ロボットアームを当該利用者の手の動きに合わせて動くように制御することにより、利用者が当該商品と離れた場所にいても、当該商品に自分の手で触れているかのような疑似体験をすることができるものが記載されている。
【０００３】
【発明が解決しようとする課題】
上述した従来の従来は、利用者の手の動きに合わせてロボットアームを動作させるというもので、商品に触れるのはあくまで当該ロボットアームであって、利用者が実際に体感できるわけではない。
【０００４】
本発明の目的は、芸能人やスポーツ選手等との握手を利用者に体感させたり、書道、スポーツ、機械や乗り物の操縦等の特殊な技能を保持する熟練者の動作を利用者に体感させるというような、第三者の動作を利用者に体感させることができる疑似体験システムを提供すること、およびその体感を利用者に販売する疑似体験販売システムおよび疑似体験販売方法を提供することにある。
【０００５】
【課題を解決するための手段】
本発明の第１の疑似体験販売システムは、体験提供者の動作の情報データを入力する体験動作入力装置と、前記体験動作入力装置に前記情報データを入力させる第１の端末装置と、前記第１の端末装置から送信された前記情報データを受信して第１の記憶装置に蓄積する販売センター端末装置と、体験者に指定された前記情報データの送信を前記販売センター端末装置に要求し、当該送信センター端末装置から送信された当該情報データを受信する第２の端末装置と、前記第２の端末装置が受信した前記情報データに従って前記体験提供者の動作を復元する体験動作復元装置とを備えたことを特徴とする。
【０００６】
本発明の第２の疑似体験販売システムは、体験提供者の動作の情報データを入力する体験動作入力装置と、前記体験提供者の動作を撮影して撮影データを生成する撮影装置と、前記体験動作入力装置に前記情報データを入力させるとともに前記撮影装置に前記撮影データを生成させる第１の端末装置と、前記第１の端末装置から送信された前記情報データと前記撮影データとを受信してそれぞれ第１の記憶装置および第２の記憶装置に蓄積する販売センター端末装置と、体験者に指定された前記情報データと前記撮影データの送信を前記販売センター端末装置に要求し、当該販売センター端末装置から送信された当該情報データと撮影データを受信するとともに当該撮影データを出力する第２の端末装置と、前記第２の端末装置による前記撮影データの出力と同期を取って、当該第２の端末装置が受信した前記情報データに従って前記体験提供者の動作を復元する体験動作復元装置とを備えたことを特徴とする。
【０００７】
本発明の第３の疑似体験販売システムは、体験提供者の動作の情報データを入力する体験動作入力装置と、前記体験動作入力装置に前記情報データを入力させる第１の端末装置と、前記第１の端末装置から送信された前記情報データを受信して第１の記憶装置に蓄積するとともに、体験者の決済情報に基づいて当該体験者の認証を行って決済可能であれば決済し、当該体験者に指定された前記情報データを前記第１の記憶装置から読み出して送信する販売センター端末装置と、体験者に指定された決済情報を前記販売センターに送信するとともに当該体験者に指定された前記情報データの送信を前記販売センター端末装置に要求し、当該販売センター端末装置から送信された当該情報データを受信する第２の端末装置と、前記第２の端末装置が受信した前記情報データに従って前記体験提供者の動作を復元する体験動作復元装置とを備えたことを特徴とする。
【０００８】
本発明の第４の疑似体験販売システムは、体験提供者の動作の情報データを入力する体験動作入力装置と、前記体験提供者の動作を撮影して撮影データを生成する撮影装置と、前記体験動作入力装置に前記情報データを入力させるとともに前記撮影装置に前記撮影データを生成させる第１の端末装置と、前記第１の端末装置から送信された前記情報データと前記撮影データとを受信してそれぞれ第１の記憶装置および第２の記憶装置に蓄積するとともに、体験者の決済情報に基づいて当該体験者の認証を行って決済可能であれば決済し、当該体験者に指定された前記情報データと前記撮影データとをそれぞれ前記第１の記憶装置および前記第２の記憶装置から読み出して送信する販売センター端末装置と、体験者に指定された決済情報を前記販売センターに送信し、当該体験者に指定された前記情報データと前記撮影データの送信を前記販売センター端末装置に要求し、当該販売センター端末装置から送信された当該情報データと撮影データを受信するとともに当該撮影データを出力する第２の端末装置と、前記第２の端末装置による前記撮影データの出力と同期を取って、当該第２の端末装置が受信した前記情報データに従って前記体験提供者の動作を復元する体験動作復元装置とを備えたことを特徴とする。
【０００９】
本発明の第５の疑似体験販売システムは、第１または第３の疑似体験販売システムにおいて、前記販売センター端末装置が、さらに、前記体験者に指定された前記情報データが前記第１の記憶装置に蓄積されていない場合に、前記第１の端末装置に対して前記体験動作入力装置による前記情報データの入力を要求し、当該情報データが入力された時点で前記体験者に当該情報データが入力された旨を通知することを特徴とする。
【００１０】
本発明の第６の疑似体験販売システムは、第２または第４の疑似体験販売システムにおいて、前記販売センター端末装置が、さらに、前記体験者に指定された前記情報データと前記撮影データとが前記第１の記憶装置および前記第２の記憶装置に蓄積されていない場合に、前記第１の端末装置に対して前記体験動作入力装置による前記情報データの入力と前記撮影装置による前記撮影データの入力とを要求し、当該情報データおよび撮影データが入力された時点で前記体験者に当該情報データおよび撮影データが入力された旨を通知することを特徴とする。
【００１１】
本発明の第７の疑似体験販売システムは、体験提供者の動作の情報データを入力する体験動作入力装置と、前記体験動作入力装置に前記情報データを入力させ、当該情報データに前記体験提供者の識別子と体験の名称とを付して送信する第１の端末装置と、体験者の決済情報に基づいて当該体験者が決済可能か認証を行い、決済可能な場合には決済を行う決済センター端末装置と、前記第１の端末装置から送信された前記情報データを受信して第１の記憶装置に蓄積し、当該情報データの当該第１の記憶装置内の格納アドレスと当該情報データに付された体験提供者の識別子および体験の名称と体験料とを対応づけた体験情報を体験データ管理テーブルに登録し、当該体験情報の内、少なくとも体験の名称と体験料の一覧表をホームページに表示するとともに、当該ホームページにアクセスした体験者によって選択された体験の名称と当該体験者が入力した決済情報とを受信し、当該決済情報を前記決済センター端末装置に送信して前記体験者の認証を行って決済可能であれば決済し、前記体験データ登録テーブルを参照して前記体験者により選択された体験の名称に対応する前記情報データを前記第１の記憶装置から読み出して送信する販売センター端末装置と、前記販売センター端末装置が表示するホームページにアクセスした体験者によって選択された体験の名称と当該体験者が入力した決済情報とを前記販売センター端末装置へ送信するとともに、当該販売センター端末装置から送信された前記情報データを受信する第２の端末装置と、前記第２の端末装置が受信した前記情報データに従って前記体験提供者の動作を復元する体験動作復元装置とを備えたことを特徴とする。
【００１２】
本発明の第８の疑似体験販売システムは、第７の疑似体験販売システムにおいて、前記販売センター端末装置が、さらに、前記ホームページにアクセスした体験者に選択された前記体験の名称に対応する前記情報データが前記第１の記憶装置に蓄積されていない場合に、当該体験者に所望の体験の名称と当該体験者への連絡情報とを入力させ、入力された体験の名称を当該ホームページ上に掲載するとともに、前記体験データ管理テーブルに新たな前記体験情報を登録した際に、当該体験情報の体験の名称が前記体験者に入力された体験の名称に一致するか判定し、一致する場合には前記体験者に入力された連絡情報に従って当該体験者が所望する体験が前記ホームページに登録された旨を通知することを特徴とする。
【００１３】
本発明の第９の疑似体験販売システムは、体験提供者の動作の情報データを入力する体験動作入力装置と、前記体験提供者の動作を撮影して撮影データを生成する撮影装置と、前記体験動作入力装置に前記情報データを入力させるとともに前記撮影装置に前記撮影データを生成させ、当該情報データと撮影データとにそれぞれ前記体験提供者の識別子と体験の名称とを付して送信する第１の端末装置と、体験者の決済情報に基づいて当該体験者が決済可能か認証を行い、決済可能な場合には決済を行う決済センター端末装置と、前記第１の端末装置から送信された前記情報データと前記撮影データとを受信してそれぞれ第１の記憶装置および第２の記憶装置に蓄積し、当該情報データの当該第１の記憶装置内の格納アドレスおよび当該撮影データの当該第２の記憶装置内の格納アドレスとそれらに付された体験提供者の識別子および体験の名称と体験料とを対応づけた体験情報を体験データ管理テーブルに登録し、当該体験情報の内、少なくとも体験の名称と体験料の一覧表をホームページに表示するとともに、当該ホームページにアクセスした体験者により選択された体験の名称と当該体験者が入力した決済情報とを受信し、当該決済情報を前記決済センター端末装置に送信して前記体験者の認証を行って決済可能であれば決済し、前記体験データ登録テーブルを参照して前記体験者によって選択された体験の名称に対応する前記情報データと前記撮影データとをそれぞれ前記第１の記憶装置および前記第２の端末記憶から読み出して送信する販売センター端末装置と、前記販売センター端末装置が表示するホームページにアクセスした体験者によって選択された体験の名称と当該体験者が入力した決済情報とを前記販売センター端末装置へ送信し、当該販売センター端末装置から送信された前記情報データと前記撮影データとを受信するとともに当該撮影データを出力する第２の端末装置と、前記第２の端末装置による前記撮影データの出力と同期を取って、当該第２の端末装置が受信した前記情報データに従って前記体験提供者の動作を復元する体験動作復元装置とを備えたことを特徴とする。
【００１４】
本発明の第１０の疑似体験販売システムは、第９の疑似体験販売システムにおいて、前記販売センター端末装置が、さらに、前記ホームページにアクセスした体験者に選択された前記体験の名称に対応する前記情報データおよび前記撮影データがそれぞれ前記第１の記憶装置および前記第２の記憶装置に蓄積されていない場合に、当該体験者に所望の体験の名称と当該体験者への連絡情報とを入力させ、入力された体験の名称を当該ホームページ上に掲載するとともに、前記体験データ管理テーブルに新たな前記体験情報を登録した際に、当該体験情報の体験の名称が前記体験者に入力された体験の名称に一致するか判定し、一致する場合には前記体験者に入力された連絡情報に従って当該体験者が所望する体験が前記ホームページに登録された旨を通知することを特徴とする。
【００１５】
本発明の第１１の疑似体験販売システムは、第２、第４、第６、第９または第１０の疑似体験販売システムにおいて、前記撮影データの代わりに予め作成したアニメーションデータを用いることを特徴とする。
【００１６】
本発明の第１２の疑似体験販売システムは、第１〜第１１の疑似体験販売システムにおいて、前記体験動作入力装置が、前記体験提供者の身体の複数の部位に取り付けられ、各部位の動きを検出するための装置であり、前記情報データが、前記体験提供者の身体の各部位がどのように動いたかを示し、前記体験動作復元装置が、前記体験提供者の身体の全体または一部の形状を呈し、当該身体の複数の部位の動きを前記情報データに従って再現する装置であることを特徴とする。
【００１７】
本発明の第１３の疑似体験販売システムは、第１〜第１１の疑似体験販売システムにおいて、前記体験動作入力装置が、前記体験提供者の身体の複数の部位に取り付けられ、各部位の動きを検出するための装置であり、前記情報データが、前記体験提供者の身体の各部位がどのように動いたかを示し、前記体験動作復元装置が、前記情報データに従って前記体験提供者の身体の複数の部位の動きを体験者の身体のそれぞれ対応する複数の部位に再現する装置であることを特徴とする。
【００１８】
本発明の第１４の疑似体験販売システムは、第１〜第１１の疑似体験販売システムにおいて、前記体験動作入力装置が、前記体験提供者が機械の操縦動作を入力するための装置であり、前記情報データが、前記体験提供者が前記機械をどのように操縦したかを示し、前記体験動作復元装置が、前記情報データに従って前記体験提供者による機械の操縦動作を再現する装置であることを特徴とする。
【００１９】
本発明の第１の疑似体験販売方法は、第１の端末装置が、体験動作入力装置に体験提供者の動作の情報データを入力させ、販売センター端末装置が、前記第１の端末装置から送信された前記情報データを受信して第１の記憶装置に蓄積し、第２の端末装置が、体験者に指定された前記情報データの送信を前記販売センター端末装置に要求し、当該販売センター端末装置から送信された当該情報データを受信し、体験動作復元装置に当該情報データに従って前記体験提供者の動作を復元させることを特徴とする。
【００２０】
本発明の第２の疑似体験販売方法は、第１の端末装置が、体験動作入力装置に体験提供者の動作の情報データを入力させるとともに、撮影装置に前記体験提供者の動作を撮影させて撮影データを生成させ、販売センター端末装置が、前記第１の端末装置から送信された前記情報データと撮影データとを受信してそれぞれ第１の記憶装置および第２の記憶装置に蓄積し、第２の端末装置が、体験者に指定された前記情報データおよび前記撮影データの送信を前記販売センター端末装置に要求し、当該販売センター端末装置から送信された当該情報データを受信して当該撮影データを出力するとともに、当該撮影データの出力と同期を取って、体験動作復元装置に当該情報データに従って前記体験提供者の動作を復元させることを特徴とする。
【００２１】
本発明の第３の疑似体験販売方法は、第１の端末装置が、体験動作入力装置に体験提供者の動作の情報データを入力させ、販売センター端末装置が、前記第１の端末装置から送信された前記情報データを受信して第１の記憶装置に蓄積するとともに、体験者の決済情報に基づいて当該体験者の認証を行って決済可能であれば決済し、当該体験者に指定された前記情報データを前記第１の記憶装置から読み出して送信し、第２の端末装置が、体験者に指定された決済情報を前記販売センターに送信するとともに当該体験者に指定された前記情報データの送信を前記販売センター端末装置に要求し、当該販売センター端末装置から送信された当該情報データを受信し、体験動作復元装置に当該情報データに従って前記体験提供者の動作を復元させることを特徴とする。
【００２２】
本発明の第４の疑似体験販売方法は、第１の端末装置が、体験動作入力装置に体験提供者の動作の情報データを入力させるとともに、撮影装置に前記体験提供者の動作を撮影させて撮影データを生成させ、販売センター端末装置が、前記第１の端末装置から送信された前記情報データと前記撮影データとを受信してそれぞれ第１の記憶装置および第２の記憶装置に蓄積するとともに、体験者の決済情報に基づいて当該体験者の認証を行って決済可能であれば決済し、当該体験者に指定された前記情報データと前記撮影データとをそれぞれ前記第１の記憶装置および前記第２の記憶装置から読み出して送信し、第２の端末装置が、体験者に指定された決済情報を前記販売センターに送信し、当該体験者に指定された前記情報データと前記撮影データの送信を前記販売センター端末装置に要求し、当該販売センター端末装置から送信された当該情報データと撮影データを受信して当該撮影データを出力するとともに、当該撮影データの出力と同期を取って、体験動作復元装置に当該情報データに従って前記体験提供者の動作を復元させることを特徴とする。
【００２３】
本発明の第５の疑似体験販売方法は、第１または第３の疑似体験販売方法において、前記販売センター端末装置が、さらに、前記体験者に指定された前記情報データが前記第１の記憶装置に蓄積されていない場合に、前記第１の端末装置に対して前記体験動作入力装置による前記情報データの入力を要求し、当該情報データが入力された時点で前記体験者に当該情報データが入力された旨を通知することを特徴とする。
【００２４】
本発明の第６の疑似体験販売方法は、第２または第４の疑似体験販売方法において、前記販売センター端末装置が、さらに、前記体験者に指定された前記情報データと前記撮影データとが前記第１の記憶装置および前記第２の記憶装置に蓄積されていない場合に、前記第１の端末装置に対して前記体験動作入力装置による前記情報データの入力と前記撮影装置による前記撮影データの入力とを要求し、当該情報データおよび撮影データが入力された時点で前記体験者に当該情報データおよび撮影データが入力された旨を通知することを特徴とする。
【００２５】
本発明の第７の疑似体験販売方法は、第１の端末装置が、体験動作入力装置に体験提供者の動作の情報データを入力させ、当該情報データに前記体験提供者の識別子と体験の名称とを付して送信し、販売センター端末装置が、前記第１の端末装置から送信された前記情報データを受信して第１の記憶装置に蓄積し、当該情報データの当該第１の記憶装置内の格納アドレスと当該情報データに付された体験提供者の識別子および体験の名称と体験料とを対応づけた体験情報を体験データ管理テーブルに登録し、当該体験情報の内、少なくとも体験の名称と体験料の一覧表をホームページに表示するとともに、当該ホームページにアクセスした体験者によって選択された体験の名称と当該体験者が入力した決済情報とを受信し、当該決済情報を決済センター端末装置に送信して前記体験者の認証を行わせて決済可能であれば決済し、前記体験データ登録テーブルを参照して前記体験者により選択された体験の名称に対応する前記情報データを前記第１の記憶装置から読み出して送信し、第２の端末装置が、前記販売センター端末装置が表示するホームページにアクセスした体験者によって選択された体験の名称と当該体験者が入力した決済情報とを前記販売センター端末装置へ送信するとともに、当該販売センター端末装置から送信された前記情報データを受信し、体験動作復元装置に当該情報データに従って前記体験提供者の動作を復元させることを特徴とする。
【００２６】
本発明の第８の疑似体験販売方法は、第７の疑似体験販売方法において、前記販売センター端末装置が、さらに、前記ホームページにアクセスした体験者に選択された前記体験の名称に対応する前記情報データが前記第１の記憶装置に蓄積されていない場合に、当該体験者に所望の体験の名称と当該体験者への連絡情報とを入力させ、入力された体験の名称を当該ホームページ上に掲載するとともに、前記体験データ管理テーブルに新たな前記体験情報を登録した際に、当該体験情報の体験の名称が前記体験者に入力された体験の名称に一致するか判定し、一致する場合には前記体験者に入力された連絡情報に従って当該体験者が所望する体験が前記ホームページに登録された旨を通知することを特徴とする。
【００２７】
本発明の第９の疑似体験販売方法は、第１の端末装置が、体験動作入力装置に体験提供者の動作の情報データを入力させるとともに、撮影装置に前記体験提供者の動作を撮影させて撮影データを生成させ、当該情報データと撮影データとにそれぞれ前記体験提供者の識別子と体験の名称とを付して送信し、販売センター端末装置が、前記第１の端末装置から送信された前記情報データと前記撮影データとを受信してそれぞれ第１の記憶装置および第２の記憶装置に蓄積し、当該情報データの当該第１の記憶装置内の格納アドレスおよび当該撮影データの当該第２の記憶装置内の格納アドレスとそれらに付された体験提供者の識別子および体験の名称と体験料とを対応づけた体験情報を体験データ管理テーブルに登録し、当該体験情報の内、少なくとも体験の名称と体験料の一覧表をホームページに表示するとともに、当該ホームページにアクセスした体験者により選択された体験の名称と当該体験者が入力した決済情報とを受信し、当該決済情報を決済センター端末装置に送信して前記体験者の認証を行わせて決済可能であれば決済し、前記体験データ登録テーブルを参照して前記体験者によって選択された体験の名称に対応する前記情報データと前記撮影データとをそれぞれ前記第１の記憶装置および前記第２の端末記憶から読み出して送信し、第２の端末装置が、前記販売センター端末装置が表示するホームページにアクセスした体験者によって選択された体験の名称と当該体験者が入力した決済情報とを前記販売センター端末装置へ送信し、当該販売センター端末装置から送信された前記情報データと前記撮影データとを受信して当該撮影データを出力するとともに、当該撮影データの出力と同期を取って、体験動作復元装置に当該情報データに従って前記体験提供者の動作を復元させることを特徴とする。
【００２８】
本発明の第１０の疑似体験販売方法は、第９の疑似体験販売方法において、前記販売センター端末装置が、さらに、前記ホームページにアクセスした体験者に選択された前記体験の名称に対応する前記情報データおよび前記撮影データがそれぞれ前記第１の記憶装置および前記第２の記憶装置に蓄積されていない場合に、当該体験者に所望の体験の名称と当該体験者への連絡情報とを入力させ、入力された体験の名称を当該ホームページ上に掲載するとともに、前記体験データ管理テーブルに新たな前記体験情報を登録した際に、当該体験情報の体験の名称が前記体験者に入力された体験の名称に一致するか判定し、一致する場合には前記体験者に入力された連絡情報に従って当該体験者が所望する体験が前記ホームページに登録された旨を通知することを特徴とする。
【００２９】
本発明の第１１の疑似体験販売方法は、第２、第４、第６、第９または第１０の疑似体験販売方法において、前記撮影データの代わりに予め作成したアニメーションデータを用いることを特徴とする。
【００３０】
本発明の第１２の疑似体験販売方法は、第１〜第１１の疑似体験販売方法において、前記体験動作入力装置が、前記体験提供者の身体の複数の部位に取り付けられ、各部位の動きを検出するための装置であり、前記情報データが、前記体験提供者の身体の各部位がどのように動いたかを示し、前記体験動作復元装置が、前記体験提供者の身体の全体または一部の形状を呈し、当該身体の複数の部位の動きを前記情報データに従って再現する装置であることを特徴とする。
【００３１】
本発明の第１３の疑似体験販売方法は、第１〜第１１の疑似体験販売方法において、前記体験動作入力装置が、前記体験提供者の身体の複数の部位に取り付けられ、各部位の動きを検出するための装置であり、前記情報データが、前記体験提供者の身体の各部位がどのように動いたかを示し、前記体験動作復元装置が、前記情報データに従って前記体験提供者の身体の複数の部位の動きを体験者の身体のそれぞれ対応する複数の部位に再現する装置であることを特徴とする。
【００３２】
本発明の第１４の疑似体験販売方法は、第１〜第１１の疑似体験販売方法において、前記体験動作入力装置が、前記体験提供者が機械の操縦動作を入力するための装置であり、前記情報データが、前記体験提供者が前記機械をどのように操縦したかを示し、前記体験動作復元装置が、前記情報データに従って前記体験提供者による機械の操縦動作を再現する装置であることを特徴とする。
【００３３】
【発明の実施の形態】
以下、本発明の実施の形態について図面を参照して詳細に説明する。
【００３４】
図１を参照すると、本発明の第１の実施の形態は、体験動作入力装置１０および撮影装置１１が接続された第１の端末装置２０と、体験動作復元装置４０が接続された第２の端末装置３０とがインターネット等のネットワーク１００に接続されて構成されている。
【００３５】
第１の端末装置２０と第２の端末装置３０とは、表示装置およびキーボード等の入力装置を備えた情報処理装置である。
【００３６】
なお、体験動作入力装置１０と第１の端末装置２０、および体験動作復元装置４０と第２の端末装置３０は無線で接続されるようにしても良い。
【００３７】
また、ネットワーク１００に第２の端末装置３０を一台ではなく複数台接続し、それぞれに体験動作復元装置４０を接続するようにしても良いことは言うまでもなく、複数台接続することによって以下に説明する本実施の形態の動作が相違することもない。
【００３８】
体験動作入力装置１０は、体験提供者により利用され、体験提供者の腕や指の動きを検出するためのグローブ状のセンサー装置や、体験提供者の身体の各部位に取り付けられ当該各部位の動きを検出するためのセンサー装置であり、体験の種類により適宜選択・構成される。
【００３９】
体験動作復元装置４０は、体験者により利用され、体験提供者の腕や指の動きを再現するためのグローブ状の装置や、体験提供者の身体の各部位の動きを体験者の身体のそれぞれ対応する複数の部位に再現するための装置であり、体験の種類により適宜選択・構成される。
【００４０】
次に、図２〜図１１を参照して本発明の第１の実施の形態の動作について詳細に説明する。
【００４１】
まず、体験提供者は第１の端末装置２０を起動し、体験動作入力装置１０と撮影装置１１とに動作開始指示を送らせる（ステップＡ１）。
【００４２】
体験動作入力装置１０は、体験提供者に自身の動作を入力させる装置で、例えば、体験が握手の場合、体験動作入力装置１０は図３に示すようなグローブ状の装置であり、体験提供者は当該グローブ状の装置に手を入れ、実際に体験者と握手をするつもりで握手の動作を行うことにより自身の動作を入力することになる。
【００４３】
体験動作入力装置１０は、第１の端末装置２０からの動作開始指示を受け（ステップＡ２）、体験提供者の動作の情報データを所定の時間、採取して第１の端末装置２０へ順次送る（ステップＡ３）。当該情報データは、例えば体験が握手の場合、図４に示すようなもので、情報データの採取開始時点t0からtnまで時系列に、それぞれの指を何度曲げるのか、腕を３次元でどの方向に移動させるのかということを示す。
【００４４】
撮影装置１１は、第１の端末装置２０からの動作開始指示を受け（ステップＡ４）、それ以降の体験提供者の動作を所定の時間撮影してその音声データおよび映像データ（以下、撮影データとする）を第１の端末装置２０へ順次送る（ステップＡ５）。
【００４５】
第１の端末装置２０は、体験動作入力装置１０から送られる情報データを受け（ステップＡ６）ネットワーク１００を介して第２の端末装置３０へ送信する（ステップＡ７）とともに、撮影装置１１から送られた撮影データを受け（ステップＡ８）ネットワーク１００を介して第２の端末装置３０へ送信する（ステップＡ９）。
【００４６】
第２の端末装置３０は、第１の端末装置２０から送信された情報データを受信して（ステップＡ１０）体験動作復元装置４０へ送る（ステップＡ１１）とともに、第１の端末装置２０から送信された撮影データを受信して（ステップＡ１２）出力する（ステップＡ１３）。
【００４７】
体験動作復元装置４０は、第２の端末装置３０から送られた情報データに従って体験提供者の動作を復元する（ステップＡ１４）。例えば、体験が握手の場合、体験動作復元装置４０は図５に例示するような手の形をした装置であり、体験動作復元装置４０が情報データに従ってそれぞれの指を適宜曲げたり、腕を動かしたりするので、体験者はあたかも体験提供者と握手をしているかの如き体験をすることができる。第２の端末装置３０の制御の下、この体験動作復元装置４０における体験提供者の動作の復元処理と第２の端末装置３０による撮影データの出力処理とが同期を取って行われることにより、体験者は体験提供者の映像および音声を見聞きしながら当該体験提供者の動作を体験できる。
【００４８】
図５に例示するような手の形をした体験動作復元装置４０は、例えば図１６に示すような指の細い手の形をした装置に人肌に近い素材のグローブを被せたものである。
【００４９】
図１６において、体験動作復元装置４０は、甲板４１、指板４２、アクチュエーター４３、曲げ機構４４、ヒンジ４５、リンク４６、可動ヒンジ４７から構成されている。指板４２は、甲板４１にヒンジ４５と可動ヒンジ４７で接続され、指の関節に相当する部位において、ヒンジ４５上に設置された曲げ機構４４の動作により当該部位が折れ曲がるようになっている。この曲げ機構４４の動作は、リンク４６を介してアクチュエーター４３により制御される。
【００５０】
図１７は、アクチュエーター４３による曲げ機構４４の動作の制御を説明するための図である。図１７において、アクチュエーター４３は、スライダー４３１、スライドシャフト４３２、ステップモーター４３３から構成され、曲げ機構４４は、指板４４１、ノッチ４４２、ヒンジ４４３、ワイヤー４４４から構成されている。リンク４６は、伸縮しないスリーブ４６１と当該スリーブ４６１中を貫通するワイヤー４４４から構成されている。
【００５１】
アクチュエーター４３において、ステップモーター４３３が回転することによりスライドシャフト４３２が回転しスライダー４３１が移動する。ステップモーター４３３が逆回転するとスライドシャフトも逆回転しスライダー４３１も逆方向に移動する。一端が曲げ機構４４のノッチ４４２に接続されているワイヤー４４４は、スリーブ４６１内を貫通し、さらにスライダー４３１内をも貫通して当該スライダー４３１のスリーブ４６１側でない側面に接続されている。すなわち、ステップモーター４３３が回転してスライダー４３１が移動することによりワイヤー４４４を介して曲げ機構４４のノッチ４４２が牽引される。
【００５２】
曲げ機構４４のノッチ４４２は、ワイヤー４４４で牽引されると指板４４１を押下する。体験動作復元装置４０がグローブを被せられ手の甲側にセットされた状況において、指板４４１が押下されるとその下の指が関節の部分で曲げられる。
【００５３】
アクチュエーター４３は、ステップモーター４３３の回転数と指板４４１の押下角度との図示しない関係情報を保持しており、第２の端末装置３０から送られた情報データと当該関係情報とに従って指板４４１の押下角度を決定し、さらに対応するステップモーター４３３の回転方向（指板４４１の押下を水平方向に戻す場合にはステップモーター４３３を逆回転させる）と回転数を決定し回転させる。このようにして、手の形をした体験動作復元装置４０は、第２の端末装置３０から送られた情報データに従って体験提供者の手の動きを復元する。
【００５４】
以上により、本発明の第１の実施の形態の動作が完了する。
【００５５】
ところで、本実施の形態では、体験として握手を例にして説明したが、以下に示すような体験にも上述した動作を適用できる。
【００５６】
すなわち体験が例えば書道の場合には、体験動作入力装置１０が図３、体験動作復元装置４０が図５および図１６に示すようなグローブ状の装置になる。体験動作入力装置１０が第１の端末装置２０に送る（ステップＡ３）情報データは体験が握手の場合と同様に図４に示す体験提供者の指や腕の動きを示すものとなり、体験者が当該グローブ状の体験動作復元装置４０に手を入れると、当該装置が第１の端末装置２０およびネットワーク１００を介して第２の端末装置３０から送られた（ステップＡ６、Ａ７、Ａ１０、Ａ１１）当該情報データに従ってそれぞれの指を適宜曲げたり腕を動かしたりする（ステップＡ１４）ので、体験者はあたかも体験提供者（書家）の如き筆使いを体験することができる。
【００５７】
また、例えば相手と一対一で行う任意の体験、例えば柔道、相撲、レスリング等のスポーツの場合には、体験動作入力装置１０は図６に示すような体験提供者の身体の各部位に取り付けられ当該各部位の動きを検出するためのセンサー装置になり、当該センサー装置で検出され第１の端末装置２０に送られる（ステップＡ３）情報データは図７のようなそれぞれの部位を３次元でどの方向に移動させるかを示すものになる。そして体験動作復元装置４０は図８に示すような体験提供者に等身大で当該体験提供者の身体の各部位の動きを再現するダミー人形（ロボット）のような装置になり、当該装置が第１の端末装置２０およびネットワーク１００を介して第２の端末装置３０から送られた（ステップＡ６、Ａ７、Ａ１０、Ａ１１）当該情報データに従って身体の各部位を適宜曲げたり動かしたりする（ステップＡ１４）ので、体験者は当該装置と接することによりあたかも体験提供者と一対一で接しているかの如き体験をすることができる。
【００５８】
また、例えば一人で行う任意の体験、例えば野球の投球、打撃やゴルフ等のスポーツの場合には、体験動作入力装置１０は図６に示すような体験提供者の身体の各部位に取り付けられ当該各部位の動きを検出するためのセンサー装置になり、当該センサー装置で検出され第１の端末装置２０に送られる（ステップＡ３）情報データは図７のようなものになる。そして体験動作復元装置４０は図９に示すようなボディスーツのような形状で体験者に着衣させる形状で、体験提供者の身体の各部位の動きを再現する装置となる。この体験動作復元装置４０は、図１６に示した手の形をした同装置の構成に準じて、ヒンジ、可動ヒンジ、曲げ機構を備えた板とアクチュエーターおよびリンクがボディスーツのような形状を呈する同装置の内側に貼り巡らされ、第１の端末装置２０およびネットワーク１００を介して第２の端末装置３０から送られた（ステップＡ６、Ａ７、Ａ１０、Ａ１１）当該情報データに従って身体の各部位を適宜曲げたり動かしたりする（ステップＡ１４）ので、体験者は当該装置を着衣することによりあたかも体験提供者の如き動作を体験することができる。
【００５９】
またこの場合、体験動作復元装置４０を図１８および図１９に示すような体験者の背面にセットして当該体験者の動作を制御するようにしたものにしてもよい。
【００６０】
図１８において、体験動作復元装置４０は、少なくとも１点で角度調整可能な支柱４Ａ、背パネル４Ｂ、腰パネル４Ｃ、腕板４Ｄ、腕に固定するための腕バンド４Ｅ、足板４Ｆ、足に固定するための足バンド４Ｇから構成されている。背パネル４Ｂまたは腰パネル４Ｃは、任意の位置で支柱４Ａに固定用ネジで固定され、それぞれ独立に動作する２個のモーターにより水平方向および垂直方向に角度を変えられる（回転される）。
【００６１】
図１９は、腕板４Ｄまたは足板４Ｆの構成を説明するための図である。図１９において、腕板４Ｄまたは足板４Ｆは、それぞれ独立に動作する４つのモーターで順次接続される４枚の板から構成され、各板は各モーターにより互い違いに水平方向および垂直方向に角度を変えられる（回転される）。
【００６２】
体験動作復元装置４０は、第２の端末装置３０から送られた情報データに従って背パネル４Ｂまたは腰パネル４Ｃおよび腕板４Ｄまたは足板４Ｆの回転方向と角度を決定し回転させる。このようにして、体験者の背面にセットする体験動作復元装置４０は、第２の端末装置３０から送られた情報データに従って体験提供者の動作を復元する。
【００６３】
また、例えば機械や乗り物（例えば飛行機、電車、自動車、船舶等）の操縦の体験（シミュレーションゲーム等）の場合には、体験動作入力装置１０と体験動作復元装置４０とが共に図１０に示すような操縦桿やハンドル状の入力装置（シミュレーションゲームにおいてはコントローラーと称されている）になり、当該装置から第１の端末装置２０に送られる（ステップＡ３）情報データは図１１に示す体験提供者（パイロットや運転手）が操作した操縦桿やハンドルの動きを示すものとなり、体験動作復元装置４０である操縦桿やハンドルが第１の端末装置２０およびネットワーク１００を介して第２の端末装置３０から送られた（ステップＡ６、Ａ７、Ａ１０、Ａ１１）当該情報データに従って動く（ステップＡ１４）ので、体験者はあたかも体験提供者の如き操縦を体験することができる。
【００６４】
次に、図１２を参照すると、本発明の第２の実施の形態は、体験動作入力装置１０および撮影装置１１が接続された少なくとも一台の第１の端末装置２０と、体験動作復元装置４０が接続された少なくとも一台の第２の端末装置３０と、販売センター端末装置５０と、決済センター端末装置６０とがインターネット等のネットワーク１００に接続されて構成されている。
【００６５】
販売センター端末装置５０には、第１の記憶装置５１と第２の記憶装置５２とが接続されている。第１の記憶装置５１と第２の記憶装置５２とを一台の記憶装置で構成しても良い。
【００６６】
販売センター端末装置５０と決済センター端末装置６０とは、情報処理装置である。
【００６７】
なお、販売センター端末装置５０が以下に説明する動作に加えて決済センター端末装置６０の動作をも行うようにしても良い。その場合には本実施の形態に決済センター端末装置６０は不要となる。
【００６８】
次に、図１３〜図１４を参照して本発明の第２の実施の形態の動作について詳細に説明する。
【００６９】
まず、体験提供者による体験の情報データと撮影データの販売センター端末装置５０へのアップロード処理について説明する。
【００７０】
第１の実施の形態におけるステップＡ１〜Ａ５の動作と同様に、体験動作入力装置１０は第１の端末装置２０へ情報データを順次送り、撮影装置１１は第１の端末装置２０へ撮影データを順次送る。なお、体験動作入力装置１０から第１の端末装置２０への情報データの送信は、当該情報データを採取する毎に順次送信するのではなく、体験動作入力装置１０内の図示しない記憶領域に所定の時間分蓄積し、蓄積された情報データをまとめて第１の端末装置２０へ送るようにしても良い。同様に、撮影装置１１から第１の端末装置２０への撮影データの送信は、当該撮影データを採取する毎に順次送信するのではなく、撮影装置１１内の図示しない記憶領域に所定の時間分蓄積し、蓄積された撮影データをまとめて第１の端末装置２０へ送るようにしても良い。
【００７１】
第１の端末装置２０は、体験動作入力装置１０から送られた情報データを受け（ステップＡ６）、それに体験提供者の識別子（名前等）と体験の名称とを付してネットワーク１００を介して販売センター端末装置５０に送信する（ステップＢ１）とともに、撮影装置１１から送られた撮影データを受け（ステップＡ８）、それに体験提供者の識別子と体験の名称とを付してネットワーク１００を介して販売センター端末装置５０へ送信する（ステップＢ２）。
【００７２】
販売センター端末装置５０は、第１の端末装置２０から送られた情報データを受信して第１の記憶装置５１に記憶（蓄積）し（ステップＢ３）、同様に撮影データを第２の記憶装置５２に記憶（蓄積）する（ステップＢ４）。
【００７３】
販売センター端末装置５０は、体験提供者の識別子と、体験の名称と、体験料と、情報データの第１の記憶装置５１内の記憶アドレスと、撮影データの第２の記憶装置５２内の記憶アドレスとを対応づけて図１４に示す体験データ管理テーブル５３に登録する（ステップＢ５）。
【００７４】
以上により、体験提供者による体験の情報データと撮影データの販売センター端末装置５０へのアップロード処理が完了する。
【００７５】
次に、販売センター端末装置５０からの体験の情報データと撮影データのダウンロード処理について説明する。
【００７６】
販売センター端末装置５０は、体験データ管理テーブル５３に登録されている情報の内、少なくとも体験の名称と体験料の一覧表をホームページに公開（呈示）する（ステップＢ６）。
【００７７】
体験者は、第２の端末装置３０からネットワーク１００を介して販売センター端末装置５０のホームページにアクセスして体験の一覧表を参照し、所望の体験を選択する（ステップＢ７）とともに、クレジットカードまたはデビットカード等の番号や銀行の口座番号等の決済情報を販売センター端末装置５０に送信する（ステップＢ８）。
【００７８】
販売センター端末装置５０は、第２の端末装置３０から送信された体験の選択情報と決済情報とを受信し（ステップＢ９）、当該決済情報をネットワーク１００を介して決済センター端末装置６０に送信する（ステップＢ１０）。
【００７９】
決済センター端末装置６０は、販売センター端末装置５０から送信された決済情報に従って対応する体験者が決済可能か否かの認証を行い（ステップＢ１１）、決済が不可能の場合にはその旨をネットワーク１００を介して販売センター端末装置５０に送信し（ステップＢ１２）、決済可能な場合には決済情報に従って決済（体験料を引き落とす）し（ステップＢ１３）、決済した旨をネットワーク１００を介して販売センター端末装置５０に送信する（ステップＢ１４）とともに、体験料から所定の金額（販売センターの手数料に相当）を差し引いた額（体験動作の提供料に相当）を別途予め登録された体験提供者の口座に振り込む（ステップＢ１５）。
【００８０】
販売センター端末装置５０は、決済センター端末装置６０から決済が不可能である旨を送信された場合には、体験要求した体験者が体験できない旨を第２の端末装置３０へ送信する（ステップＢ１６）。販売センター端末装置５０は、決済センター端末装置６０から決済した旨を送信された場合には、ステップＢ８で受信した体験の選択情報に従って体験データ管理テーブル５３を検索し、対応する情報データと撮影データとをそれぞれ第１の記憶装置５１および第２の記憶装置５２から読み出し（ステップＢ１７、Ｂ１８）、ネットワーク１００を介して第２の端末装置３０へ送信する（ステップＢ１９）。
【００８１】
第２の端末装置３０は、販売センター端末装置５０から送信された情報データを受信して（ステップＢ２０）体験動作復元装置４０へ送る（ステップＢ２１）とともに、販売センター端末装置５０から送信された撮影データを受信して（ステップＢ２２）出力する（ステップＢ２３）。
【００８２】
以下、第１の実施の形態のステップＡ１４と同様に、体験動作復元装置４０は、第２の端末装置３０から送られた情報データに従って体験提供者の動作を復元する（ステップＢ２４）。第２の端末装置３０の制御の下、この体験動作復元装置４０における体験提供者の動作の復元処理と第２の端末装置３０による撮影データの出力処理とが同期を取って行われることにより、体験者は体験提供者の映像および音声を見聞きしながら当該体験提供者の動作を体験できる。
【００８３】
以上により、本発明の第２の実施の形態の動作が完了する。
【００８４】
第１の実施の形態は体験提供者の動作をリアルタイムに体験者が体験するものであるが、第２の実施の形態においては、一旦販売センター端末装置５０の第１の記憶装置５１と第２の記憶装置５２とに体験提供者の動作の情報データと体験提供者の動作時の撮影データとをそれぞれ記憶した後は、任意の時点でそれらを利用してステップＢ６〜Ｂ２４の動作を行うことにより、体験提供者の動作をリアルタイムに体験者が体験するのではなく、体験者の所望の時点に体験提供者が不在でも当該体験提供者の動作を体感できるようになる。
【００８５】
また、第２の記憶装置５２に体験提供者の実写（撮影）データの代わりに予め作成したアニメーションデータを記憶し、第２の端末装置３０が体験動作復元装置４０における体験提供者の動作の復元処理と当該アニメーションデータの出力処理とを同期を取って実行するようにしても良い。
【００８６】
次に、図１５を参照して本発明の第３の実施の形態の動作について詳細に説明するが、その構成は第２の実施の形態と同様である。
【００８７】
まず、体験者は、第２の端末装置３０からネットワーク１００を介して販売センター端末装置５０のホームページにアクセスして体験の一覧表を参照し、所望の体験が登録されているか否か判断（ステップＣ１）し、登録されている場合は、第２の実施の形態におけるステップＢ６以降の処理を実行して体験提供者の動作を体験するが、登録されていない場合には、体験の名称と自身への連絡情報（電子メールアドレスやＦＡＸの電話番号等）とを体験要求情報として当該ホームページに登録する（ステップＣ２）。
【００８８】
販売センター端末装置５０は、体験者が登録した体験要求情報の内、少なくとも体験の名称をホームページ上に掲載する（ステップＣ３）。
【００８９】
体験提供者は、第１の端末装置２０において、ネットワーク１００を介して販売センター端末装置５０のホームページにアクセスして体験者が登録した体験要求情報を参照して当該体験を自身が提供できる場合には第１の実施の形態のステップＡ１〜Ａ８および第２の実施の形態のステップＢ１〜Ｂ２の動作と同様に、体験動作入力装置１０から自らの体験を入力してその情報データと撮影装置１１が撮影した撮影データとにさらに自らの識別子と体験の名称とを付してネットワーク１００を介して販売センター端末装置５０へ送信させる。
【００９０】
販売センター端末装置５０は、第２の実施の形態のステップＢ３〜Ｂ５の動作と同様に、第１の端末装置２０から送信された情報データを受信して第１の記憶装置５１に記憶し、同様に撮影データを第２の記憶装置５２に記憶し、体験提供者の識別子と、体験の名称と、体験料と、情報データの第１の記憶装置５１内の記憶アドレスと、撮影データの第２の記憶装置５２内の記憶アドレスとを対応づけて図１４に示す体験データ管理テーブル５３に登録する。
【００９１】
ここで、販売センター端末装置５０は、体験者がステップＣ２において登録した体験要求情報に含まれる体験の名称が体験データ管理テーブル５３に登録されているか否か判定（ステップＣ４）し、登録されている場合には当該体験要求情報に含まれる連絡情報（電子メールアドレスやＦＡＸの電話番号等）に従い、体験者に対して当該体験者が要求した体験がホームページに登録された旨を通知する（ステップＣ５）。
【００９２】
以下、第２の実施の形態のステップＢ６〜Ｂ２４の動作と同様に、販売センター端末装置５０のホームページにアクセスした体験者からのダウンロード要求に応じて体験の情報データと撮影データが決済処理を経て第２の端末装置３０にダウンロードされ、体験動作復元装置で体験提供者の動作が復元される。
【００９３】
以上により、本発明の第３の実施の形態の動作が完了する。
【００９４】
第３の実施の形態においては、体験者が、所望する体験が販売センター端末装置５０のホームページに登録されていない場合に当該体験の要求情報を当該ホームページに登録しておくことにより、それを見た体験提供者に当該体験の情報を販売センター端末装置５０にアップロードさせ、その結果として当該体験提供者の動作を体感することができるようになるという効果を有している。
【００９５】
【発明の効果】
以上説明したように、本発明は、芸能人やスポーツ選手等との握手を利用者に体感させたり、書道、スポーツ、機械や乗り物の操縦等の特殊な技能を保持する熟練者の動作を利用者に体感させるというような、第三者の動作を利用者に体感させることができるという効果を有している。
【図面の簡単な説明】
【図１】本発明の第１の実施の形態の構成を示すブロック図である。
【図２】本発明の第１の実施の形態の動作を示す流れ図である。
【図３】本発明の第１の実施の形態における体験動作入力装置１０の形状の例を示す図である。
【図４】本発明の第１の実施の形態における情報データの例を示す図である。
【図５】本発明の第１の実施の形態における体験動作復元装置４０の形状の例を示す図である。
【図６】本発明の第１の実施の形態における体験動作入力装置１０の形状の例を示す図である。
【図７】本発明の第１の実施の形態における情報データの例を示す図である。
【図８】本発明の第１の実施の形態における体験動作復元装置４０の形状の例を示す図である。
【図９】本発明の第１の実施の形態における体験動作復元装置４０の形状の例を示す図である。
【図１０】本発明の第１の実施の形態における体験動作入力装置１０の形状の例を示す図である。
【図１１】本発明の第１の実施の形態における情報データの例を示す図である。
【図１２】本発明の第２の実施の形態の構成を示すブロック図である。
【図１３】本発明の第２の実施の形態の動作を示す流れ図である。
【図１４】本発明の第２の実施の形態における体験データ管理テーブル５３の内容を示す図である。
【図１５】本発明の第３の実施の形態の動作を示す流れ図である。
【図１６】本発明の体験動作復元装置４０の構造例を示す図である。
【図１７】本発明の体験動作復元装置４０の構造例を示す図である。
【図１８】本発明の体験動作復元装置４０の構造例を示す図である。
【図１９】本発明の体験動作復元装置４０の構造例を示す図である。
【符号の説明】
１０    体験動作入力装置
１１    撮影装置
２０    第１の端末装置
３０    第２の端末装置
４０    体験動作復元装置
５０    販売センター端末装置
５１    第１の記憶装置
５２    第２の記憶装置
６０    決済センター端末装置
１００    ネットワーク
【図１】
0003808332.tif 000002
【図２】
0003808332.tif 000003
【図３】
0003808332.tif 000004
【図４】
0003808332.tif 000005
【図５】
0003808332.tif 000006
【図６】
0003808332.tif 000007
【図７】
0003808332.tif 000008
【図８】
0003808332.tif 000009
【図９】
0003808332.tif 000010
【図１０】
0003808332.tif 000011
【図１１】
0003808332.tif 000012
【図１２】
0003808332.tif 000013
【図１３】
0003808332.tif 000014
【図１４】
0003808332.tif 000015
【図１５】
0003808332.tif 000016
【図１６】
0003808332.tif 000017
【図１７】
0003808332.tif 000018
【図１８】
0003808332.tif 000019
【図１９】
0003808332.tif 000020